(57)【要約】【課題】駆動源を有する電子機器の騒音を低減する電子機器の取付け構造を提供する。【解決手段】電子機器１に固定した取付け補助具６に緩衝部材８を取付け、該緩衝部材を介して電子機器を筐体側に取付け、前記緩衝部材には溝が形成され、前記取付け補助具は前記溝に嵌合することで取付けられ、前記取付け補助具は前記溝内を変位可能とした。【選択図】　　　　図１
2004031501.tif 000002
【特許請求の範囲】
【請求項１】
電子機器に固定した取付け補助具に緩衝部材を取付け、該緩衝部材を介して電子機器を筐体側に取付け、前記緩衝部材には溝が形成され、前記取付け補助具は前記溝に嵌合することで取付けられ、前記取付け補助具は前記溝内を変位可能としたことを特徴とする電子機器の取付け構造。
【発明の詳細な説明】
【０００１】
【発明の属する技術分野】
本発明はモータ等の振動源を有するハードディスク、ＣＤＲＯＭドライブ等の電子機器を取付ける電子機器の取付け構造に関するものである。
【０００２】
【従来の技術】
図９、図１０により従来の電子機器の取付け構造について説明する。
【０００３】
図９、図１０は３．５インチ規格のハードディスク１をディスクトップパソコンの筐体に取付ける場合の一般的な構造を示している。
【０００４】
ディスクトップパソコン筐体では、一般的に３．５インチ規格の電子機器を取付ける為の３．５インチベイ、５インチ規格の電子機器を取付ける為の５インチベイを備えており、３．５インチ規格の前記ハードディスク１は３．５インチベイに取付けられている。
【０００５】
図９、図１０中、２は３．５インチベイであり、幅は前記ハードディスク１の幅と略同一となっており、前記３．５インチベイ２は鉄製、アルミ製の金属板を凹字状に屈曲して形成したものであり、筐体（図示せず）に取付けられている。
【０００６】
前記ハードディスク１は前記３．５インチベイ２に装入され、側面２箇所で螺子３により固定されている。
【０００７】
【発明が解決しようとする課題】
上記従来の電子機器の取付け構造であると、前記ハードディスク１を駆動すると、該ハードディスク１の振動が前記３．５インチベイ２に直接伝達され、該３．５インチベイ２を共振させる場合もあり、或は更に筐体に伝達され、筐体と共鳴して大きな騒音を発する場合がある。
【０００８】
現今、パソコンの一般家庭への普及は著しく、音楽、映画等をパソコンのハードディスクに記録、再生させることが増えてくると考えられ、その際パソコンの発する騒音はできるだけ抑制されることが望まれる。
【０００９】
本発明は斯かる実情に鑑み、駆動源を有する電子機器の騒音を低減する電子機器の取付け構造を提供するものである。
【００１０】
【課題を解決するための手段】
本発明は、電子機器に固定した取付け補助具に緩衝部材を取付け、該緩衝部材を介して電子機器を筐体側に取付け、前記緩衝部材には溝が形成され、前記取付け補助具は前記溝に嵌合することで取付けられ、前記取付け補助具は前記溝内を変位可能とした電子機器の取付け構造に係るものである。
【００１１】
【発明の実施の形態】
以下、図面を参照しつつ本発明の実施の形態を説明する。
【００１２】
図１〜図４に於いて第１の実施の形態について説明する。
【００１３】
図中、５は５インチベイを示しており、５インチ規格の電子機器が実装可能である。該５インチベイ５は鉄製、アルミ製の金属板を凹字状に屈曲して形成したものであり、筐体（図示せず）に取付けられている。
【００１４】
ハードディスク１の両側面に断面Ｌ字状の取付け補助具６を垂直面で螺子３により前後２箇所を螺子止めし、前記取付け補助具６の水平部には前後２箇所に緩衝部材取付け孔７が穿設され、該緩衝部材取付け孔７には緩衝部材８が嵌設される。該緩衝部材８はゴム、軟質合成樹脂等の高弾性材料から成り、中央に孔が貫通する様に略リング形状をしており、又外周に沿って溝９が形成されている。該溝９に前記取付け補助具６が嵌合する。
【００１５】
該取付け補助具６は鉄板、アルミ板等の金属板を屈曲して成形され、該取付け補助具６が前記緩衝部材８に対して左右約２ｍｍ、前後約１ｍｍ相対変位可能な様に、該緩衝部材８に対する前記緩衝部材取付け孔７の孔径が決められている。又、加工を容易にする為、前後左右共に２ｍｍ程度の相対変位可能としてもよい。又、前記溝９の溝幅は前記取付け補助具６の板厚と同じかやや広くする。前記左右方向の余裕を前後方向より大きい２ｍｍとしたのは前記５インチベイ５の製作誤差等を考慮したものである。
【００１６】
尚、前記取付け補助具６は、金属板以外の硬質の合成樹脂製であってもよい。
【００１７】
前記緩衝部材８にはフランジ付カラー１１が上側から嵌入される。該フランジ付カラー１１の前記嵌入部の高さは、前記緩衝部材８の厚みと同じか或は少し低くなっており、中心には螺子孔１２が穿設されている。
【００１８】
前記５インチベイ５の内側面に、断面Ｌ字状の支持補助具１３を垂直面で前後２箇所を螺子止めする。前記ハードディスク１は前記取付け補助具６、緩衝部材８を介して前記支持補助具１３の水平部に載置される。該支持補助具１３は鉄板、アルミ板等の金属板、或は金属板以外の硬質の合成樹脂製であってもよい。
【００１９】
前記支持補助具１３の水平部に下方から螺子１４を挿通して前記螺子孔１２に螺着させ、前記フランジ付カラー１１を前記支持補助具１３に固着する。而して、前記ハードディスク１は前記取付け補助具６、緩衝部材８、フランジ付カラー１１、支持補助具１３を介して前記５インチベイ５に取付けられる。
【００２０】
上記電子機器の取付け構造に於いて、前記ハードディスク１が駆動し、振動が発生すると、前記取付け補助具６が前記溝９内で相対変位する。而して、前記取付け補助具６と前記緩衝部材８間の摩擦により、又該緩衝部材８が有する弾性により、前記ハードディスク１の振動が減衰吸収される。この為、該ハードディスク１の振動は前記５インチベイ５及び図示しない筐体に伝達されることがなく、共振、共鳴が抑止され、騒音が抑止される。又、対衝撃性も向上し、製品の輸送時の損傷を防止できる。
【００２１】
図５〜図８により第２の実施の形態について説明する。
【００２２】
図５〜図８中、図１〜図４中で示したものと同等のものには同符号を付してある。
【００２３】
該第２の実施の形態では、前記フランジ付カラー１１、螺子１４を省略し、緩衝部材１６自体で取付け補助具６と支持補助具１３とを取付ける様にしたものである。
【００２４】
前記緩衝部材１６について説明する。
【００２５】
該緩衝部材１６は下端部がテーパ部１６ａとなっており、該テーパ部１６ａの基端に前記支持補助具１３嵌合用の溝１７が形成されている。更に、該溝１７の上側には前記取付け補助具６嵌合用の溝９が形成されている。
【００２６】
又、前記取付け補助具６には緩衝部材取付け孔７の代りに外側に向って開口するＵ字孔１８が穿設され、前記緩衝部材１６は前記溝９を前記Ｕ字孔１８に嵌合することで、簡単に取付けられる様になっている。前記支持補助具１３には前記緩衝部材１６の溝１７が嵌合する孔１９が穿設されている。尚、前記取付け補助具６は前記緩衝部材１６に対して左右約２ｍｍ、前後約１ｍｍ程度相対変位可能な様にしてあるのは上記第１の実施の形態と同様である。
【００２７】
前記ハードディスク１、前記取付け補助具６、前記緩衝部材１６を一体とした状態で、該緩衝部材１６を前記支持補助具１３の孔１９に圧入する。該孔１９が前記溝１７に嵌合して位置の取付けが完了する。
【００２８】
第２の実施の形態では、部品点数が減少し、螺子止め等の面倒な作業が省略できるので、製作コストが低減する。
【００２９】
尚、前記ハードディスク１の振動の減衰吸収については、上記第１の実施の形態と同様である。
【００３０】
尚、前記取付け補助具６、支持補助具１３の形状については上記実施の形態に限定されるものではなく、又ＣＤＲＯＭドライブ等他の電子機器についても同様に実施できることは言う迄もない。又、電子機器の取付け構造が用いられる場所も５インチベイ５に限られることなく、その他のベイ、棚板等であってもよい。
【００３１】
【発明の効果】
以上述べた如く本発明によれば、電子機器に固定した取付け補助具に緩衝部材を取付け、該緩衝部材を介して電子機器を筐体側に取付け、前記緩衝部材には溝が形成され、前記取付け補助具は前記溝に嵌合することで取付けられ、前記取付け補助具は前記溝内を変位可能としたので、振動が減衰吸収され、騒音の抑制ができ、又対衝撃性も向上し、製品の輸送時の損傷を防止でき、又構造が単純であり、汎用品を使用し、低コストで製品化可能である等の優れた効果を発揮する。
【図面の簡単な説明】
【図１】本発明の第１実施の形態を示す正断面図である。
【図２】本発明の第１実施の形態を示す平面図である。
【図３】本発明の第１実施の形態を示し、図２のＡ−Ａ矢視図である。
【図４】図１のＢ部拡大図である。
【図５】本発明の第２実施の形態を示す正断面図である。
【図６】本発明の第２実施の形態を示す平面図である。
【図７】本発明の第２実施の形態を示し、図６のＣ−Ｃ矢視図である。
【図８】図５のＤ部拡大図である。
【図９】従来例の正面図である。
【図１０】該従来例の側面図である。
【符号の説明】
１　　　　　ハードディスク
５　　　　　５インチベイ
６　　　　　取付け補助具
８　　　　　緩衝部材
１１　　　　フランジ付カラー
１３　　　　支持補助具
１６　　　　緩衝部材
【図１】
2004031501.tif 000003
【図２】
2004031501.tif 000004
【図３】
2004031501.tif 000005
【図４】
2004031501.tif 000006
【図５】
2004031501.tif 000007
【図６】
2004031501.tif 000008
【図７】
2004031501.tif 000009
【図８】
2004031501.tif 000010
【図９】
2004031501.tif 000011
【図１０】
2004031501.tif 000012